(57)【要約】【課題】  本発明は、簡易性、安全性、経済性、快適性の優れた、帯電防止効果のある、軽量化できる特徴を有し、ファッション性に優れた、椅子等家具用シート、クッション材を提供する【解決手段】  本発明は  弾性ポリエステルモノフィラメントのスパイラル織物を使用することにより通気性、クッション性とさらに高い保持性を持つ事で、現在使用されている椅子の織物等とクッション材、保持材が一体となり  軽量化ができ、導電性繊維を併用する事により静電気防止効果をえる。  又、蓄光性蛍光体を含有する弾力性ポリエステルモノフィラメントを使用することにより、ファッション性の優れた、椅子等家具用シート、クッション材を完成する。【選択図】  図２
2005046559.tif 000002
【特許請求の範囲】
【請求項１】
線径が０．１５ｍｍから２．０ｍｍ（２００デニールから４００００デニール、変形断面糸も含む）の弾性ポリエステルモノフィラメント一部，或いは，全部で構成されるスパイラル織物からなる椅子等家具用のシート、クッション材。
【請求項２】
蓄光性蛍光体を含有した線径が０．１５ｍｍから２．０ｍｍ（２００デニールから４００００デニール、異形断面糸も含む）の弾性のポリエステルモノフィラメントで一部，或いは，全部で構成されるスパイラル織物からなる椅子等家具用のシート、クッション材。
【請求項３】
線径が０．１５ｍｍから２．０ｍｍ（２００デニールから４００００デニール、変形断面糸も含む）の弾性ポリエステルモノフィラメント一部，或いは，全部で構成されるスパイラル織物とスパイラル織物の中に静電気帯電防止の為に織り込んだスタッファーヤーン（導電性繊維）から構成される椅子等家具用のシート、クッション材。
【発明の詳細な説明】
【技術分野】
【０００１】  本発明は、簡易性、安全性、経済性、に優れ、クッション性、快適性、通気性等の特性を有し、帯電防止、軽量化できる椅子等家具用シート、クッション材に関するものである。
【背景技術】
【０００２】  従来、椅子用等のシート材には木枠、スプリング、板等で保持し、主に発泡ウレタンをクッション材に使用し、表面を織物、合成皮革等で被覆している。このように、種々の部品や材料を使用している。この発泡ウレタンのクッション材は長期間使用すると  いわゆる、ヘタリが来て、クッション性が損なわれる。  弾性ポリエステルモノフィラメントスパイラル織物を使用することにより、スプリング、板等の部品材料をかなり省く事と、クッション性の長期間保持、快適性、通気性の改良が可能となった。
近年、ア−ロンチェアーとして、この弾力性ポリエステルモノフィラメントを平織り、多重織り、ニット（特許文献１）、或いは  融着等（特許文献２）で製造した材料を事務用椅子等家具に使用している【０００３】  しかし、ア−ロンチェアーとしてこの弾性ポリエステルモノフィラメントを使用して通常の織物（平織り、多重織り、ニット等）では、弾性ポリエステルモノフィラメントの特性である伸縮により  織り目（クリンプ、や結束部）が、ずれて易く、そのずれを防止する為に接着剤、或いは  融着等で固定している製品もある。又、結束部がより強く結束される結果により、折り曲げ劣化が起き易くなる。
特に静電気の帯電防止効果を有し、弾性ポリエステルモノフィラメントを使用して椅子等用シート、クッション材は無い
【特許文献１】      特開２０００−２４８４５０
【特許文献２】      特開平０９−１７３６７２
【発明の開示】
【発明が解決使用とする課題】
【０００４】  本発明が解決しようとする課題は、簡易性、安全性、経済性、快適性の優れた、帯電防止効果、軽量化できる特性を有し、ファッション性に優れた、椅子等家具用シート、クッション材を提供する目的である。
【課題を解決する為の手段】
【０００５】    本発明は  弾性ポリエステルモノフィラメントのスパイラル織物を使用することにより通気性、クッション性とさらに高い保持性を持つ事で、現在使用されている椅子の織物等とクッション材、保持材が一体となり  軽量化ができ、導電性繊維を併用する事により静電気防止効果をえる。  又、蓄光性蛍光体を含有する弾力性ポリエステルモノフィラメントを一部、あるいは、全部に使用することにより、ファッション性の優れた夜間でも確認できる椅子等家具が出来る。
【発明の効果】
【０００６】  本発明の弾性ポリエステルモノフィラメント製スパイラル織物は、安定した保持性、快適性、通気性、耐久性、経済性に優れた、しかも、破断伸度の異なる弾性ポリエステルモノフィラメントを使用することにより、硬め、中程度の硬さ、軟らかい等、異なった性能の特徴を有し、蓄光蛍光体を含有した製品は、ファッション性にも優れた椅子等家具用シート、クッション材である。
【発明を実施するための最良の形態】
【０００７】  本発明者は鋭意検討した結果、下記発明に到達した。すなわち、線径が０．１５ｍｍから２．０ｍｍ（２００デニールから４００００デニール、変形断面糸も含む）の弾性ポリエステルモノフィラメント製のスパイラル織物からなり、ファッション性に優れた帯電防止効果を有する椅子等家具用シート、クッション材である。
線径が０．１５ｍｍから２．００ｍｍ（２００デニールから４００００デニール、変形断面糸も含む）の弾性ポリエステルモノフィラメント製スパイラル織物を使用することにより、かなりのスプリング、板等の部品材料を省く事が可能となった。
近年、ア−ロンチェアーとして使用されている通常の織物（平織り、多重織り、ニット等）では、弾性ポリエステルモノフィラメントの特性である  伸縮により  織り目（クリンプ、や結束部）が、ずれて元に復元しにくい。  又逆に  結束部がより強く結束される結果により、折り曲げ劣化が起き易くなる。その欠点をこのスパイラル織物で解決した。帯電防止はスパイラル織物のスタッファーヤーンとして導電性纎維を織り込む事により解決した。
このスパイラル織物の形態は新しい物ではなく、耐加水分解性の特徴を有したポリエステルモノフィラメント（弾性はない）を使用して、日本では僅かであるが、欧米では製紙用の抄紙用具（ドライヤーカンバス）やフィルター用途にかなりの量が生産されている。弾性ポリエステルモノフィラメントでのスパイラル織物の生産は、上記のように特殊な製法ではないので、経済的な利点もある。
【実施例１】
【０００８】    図１は、本発明の線径０．７ｍｍで破断伸度８０％程度の弾性ポリエステルモノフィァメントを使用して、スパイラルコイル長径５．２、短径２．８ｍを製造した。図２は、ピントルピンは線径０．９０ｍｍの破断伸度８０％程度の弾性ポリエステルモノフィラメントを使用して厚さ約２，８ｍｍのスパイラル織物を作成した。
【実施例２】
【０００９】    図３は、図２で示したスパイラル織物にスタッファーヤーンとして、導電性ナイロンモノフィァメント線径０．３６ｍｍを使用した。
【産業上の利用可能性】
【００１０】  本発明は、簡易性、安全性、経済性、快適性の優れた、帯電防止効果のある、軽量化できる特徴を有し、ファッション性に優れた、椅子等家具用シート、クッション材としての弾性ポリエステルスパイラル織物を提供し、種々のシート材として、家具、レジャー用品、自動車用シート材、インテリア等、広範囲に使用可能である。
【図面の簡単な説明】
【００１１】
【図１】本発明の実施例のスパイラル模式図
【図２】本発明の実施例のスパイラル織物模式図
【図３】本発明の実施例の帯電防止スパイラル織物模式図
【図４】異形断面弾性ポリエステルモノフィラメント断面模式図
【符号の説明】
【００１２】    １  弾性ポリエステルモノフィラメントスパイラル
２  弾性ポリエステルモノフィラメントピントルピン
３．スタッファーヤーン（導電性ナイロンモノフィァメント）
【図１】
2005046559.tif 000003
【図２】
2005046559.tif 000004
【図３】
2005046559.tif 000005
【図４】
2005046559.tif 000006